(57)【要約】【課題】  簡単な構成で適正な視聴距離で立体画像の視聴ができる立体画像表示装置を提供すること。また、簡単な方法で適正な視聴距離を調整できる立体視聴距離調整用のプログラム、及び該プログラムが記録された記録媒体を提供すること。【解決手段】  対象者に立体画像を認識させる立体画像表示装置において、表示面を有し、対象者の左右眼に対して視差を持った画像を表示する表示手段と、前記表示面に対して前記画像を表示させる際に，前記表示面に対して所定量浮き上がって観察される複数の第１の視標と所定量沈み込んで観察される複数の第２の視標とを前記画像として形成するための制御手段であって，前記複数の第１視標及び第２視標とを関連付けて視認したときに所定の図形として認識されるように前記表示面に前記画像を表示する制御手段と、を備えること。【選択図】      図３
2013031139.tif 000002
【特許請求の範囲】
【請求項１】
対象者に立体画像を認識させる立体画像表示装置において、
表示面を有し、対象者の左右眼に対して視差を持った画像を表示する表示手段と、
前記表示面に対して前記画像を表示させる際に，前記表示面に対して所定量浮き上がって観察される複数の第１の視標と所定量沈み込んで観察される複数の第２の視標とを前記画像として形成するための制御手段であって，前記複数の第１視標及び第２視標とを関連付けて視認したときに所定の図形として認識されるように前記表示面に前記画像を表示する制御手段と、
を備えることを特徴とする立体画像表示装置。
【請求項２】
請求項１の立体画像表示装置において、前記図形は、正円、正多角形、正多角形に基づく幾何学的図形、を含む、ことを特徴とする立体画像表示装置。
【請求項３】
請求項１〜２の何れかの立体画像表示装置において、前記制御手段は、前記図形が回転して観察されるように前記第１及び第２視標が所定の平面上を連続的に移動する動画像として前記表示面に表示させる、ことを特徴とする立体画像表示装置。
【請求項４】
請求項３の立体画像表示装置において、前記平面は、前記表示面に直交する平面である、ことを特徴とする立体画像表示装置。
【請求項５】
請求項１〜４の何れかの立体画像表示装置において、
前記浮き上がり量及び／又は沈み込み量に対応する視差の上限は、立体視のための安全基準値以下とされる、
ことを特徴とする立体画像表示装置。
【請求項６】
所定の表示面に対象者の左右眼に対して視差を持った画像を表示させる際に，前記表示面に対して所定量浮き上がって観察される複数の第１の視標と所定量沈み込んで観察される複数の第２の視標とを前記画像として形成するためステップであって，前記複数の第１視標及び第２視標とを関連付けて視認したときに所定の図形として認識されるように前記表示面に前記画像を表示させるステップ、をコンピュータに実行させるためのプログラム
【請求項７】
請求項６に記載のプログラムが記録されているコンピュータ読み取り可能な記録媒体。
【発明の詳細な説明】
【技術分野】
【０００１】
本発明は、対象者に立体視させるために画像を表示する立体画像表示装置及びプログラム、並びに記録媒体に関する。
【背景技術】
【０００２】
近年、液晶パネル等のディスプレイに視差を持った画像、映像、を表示し、視聴者に立体画像（立体映像）を認識させる立体画像表示装置が知られている（例えば、特許文献１参照）。このような装置の技術は、テレビ等の映像表示装置等に利用される。このような装置では、偏光を利用して視聴者の左右眼に見せる画像（映像）を分離し、左右眼に視差の異なる画像を示すことにより、視聴者に立体像を認識させている。このような装置では、視聴に適正とされている視聴距離（表示装置と視聴者との距離）があり、視聴者は、適正な視聴距離に位置して立体画像等を鑑賞することが好ましい。
【先行技術文献】
【特許文献】
【０００３】
【特許文献１】特開２００４−７３９５号公報
【発明の概要】
【発明が解決しようとする課題】
【０００４】
立体画像を認識したときの立体の浮き上がり量（沈み込み量）は、視聴者の瞳孔間距離や感覚によって異なる。このため、視聴者が、テレビメーカ等が推奨する適正な視聴距離に位置しても、この視聴者が適正な立体視ができるとは限らない。この問題に対して、特許文献１に開示される技術のように、表示する画像の視差を調整することで対応できるが、装置が大型化、複雑化してしまう。
【０００５】
本発明は、上記従来技術の問題点に鑑み、簡単な構成で適正な視聴距離で立体画像の視聴ができる立体画像表示装置を提供することを技術課題とする。また、簡単な方法で適正な視聴距離を調整できる立体視聴距離調整用のプログラム、及び該プログラムが記録された記録媒体を提供することを技術課題とする。
【課題を解決するための手段】
【０００６】
本発明は、上記課題を解決するために、以下の構成を有することを特徴とする。
（１）  対象者に立体画像を認識させる立体画像表示装置において、
表示面を有し、対象者の左右眼に対して視差を持った画像を表示する表示手段と、
前記表示面に対して前記画像を表示させる際に，前記表示面に対して所定量浮き上がって観察される複数の第１の視標と所定量沈み込んで観察される複数の第２の視標とを前記画像として形成するための制御手段であって，前記複数の第１視標及び第２視標とを関連付けて視認したときに所定の図形として認識されるように前記表示面に前記画像を表示する制御手段と、
を備えることを特徴とする。
（２）  （１）の立体画像表示装置において、前記図形は、正円、正多角形、正多角形に基づく幾何学的図形、を含む、ことを特徴とする。
（３）  （１）又は（２）の立体画像表示装置において、前記制御手段は、前記図形が回転して観察されるように前記第１及び第２視標が所定の平面上を連続的に移動する動画像として前記表示面に表示させる、ことを特徴とする。
（４）  （３）の立体画像表示装置において、前記平面は、前記表示面に直交する平面である、ことを特徴とする。
（５）  （１）〜（４）の何れかの立体画像表示装置において、
前記浮き上がり量及び／又は沈み込み量に対応する視差の上限は、立体視のための安全基準値以下とされる、
ことを特徴とする。
（６）  コンピュータに実行させるためのプログラムにおいて、所定の表示面に対象者の左右眼に対して視差を持った画像を表示させる際に，前記表示面に対して所定量浮き上がって観察される複数の第１の視標と所定量沈み込んで観察される複数の第２の視標とを前記画像として形成するためステップであって，前記複数の第１視標及び第２視標とを関連付けて視認したときに所定の図形として認識されるように前記表示面に前記画像を表示させるステップ、を備えることを特徴とする。
（７）  コンピュータ読み取り可能な記録媒体において、（６）に記載のプログラムが記録されていることを特徴とする。
【発明の効果】
【０００７】
本発明によれば、簡単な構成で適正な視聴距離で立体画像の視聴ができる。
【発明を実施するための形態】
【０００８】
以下、本発明の実施形態を図面に基づいて説明する。図１は、本実施形態の立体画像表示装置の概略外観図である。なお、本実施形態における立体画像表示装置は、動画等を表示可能なテレビジョン装置（以下、単にテレビと略す）とする。
【０００９】
テレビ１００の筐体１０の前面には、表示手段である表示部３０が設けられている。表示部３０は、内部にカラー液晶ディスプレイ３１を備えている（図２参照）。筐体１０の前面の下方には、操作手段であるリモートコントローラ（以下、リモコン）６０からの指令信号（赤外光の通信信号）を受信する受信部１１が設けられている。また、筐体１０の下部には、装置１００の設定（入力）等の各種設定（入力）を行うための設定手段（入力手段）であるファンクションキー１２が設けられている。
【００１０】
テレビ１００には、外部記憶媒体から立体画像、立体映像等を表示させるための立体コンテンツ（プログラム）を読み込む再生デバイス（プレーヤー）２００が接続される。再生デバイス２００としては、例えば、立体コンテンツが記憶された記憶媒体である多用途ディスク（ＤＶＤ）２１０を再生するＤＶＤプレーヤ等がある。テレビ１００と再生デバイス２００は、双方向にデータ送信を行うためのケーブル２０１によって接続されている。
【００１１】
リモコン６０は、表示部３０（ディスプレイ３１）に表示される画像（映像）、等を表示するチャンネル（テレビ番組）等を選択するための選択手段である複数の選択キー（ボタン）６１と、選択された画像、チャンネル等の情報を表示する表示手段である液晶ディスプレイ６２と、赤外通信信号を送信する送信部６３と、を備えている。また、リモコン６０は、装置１００の表示部３０に、立体画像等の視聴において、適正な距離を確認するためのテストイメージ（詳細は後述する）を表示する選択信号を入力するキー６１ａ、を備えている。選択キー６１の選択により、再生デバイス２００から立体コンテンツを読み出すことができる。
【００１２】
図２は、表示部３０の概略構成図とテレビ１００の制御系の概略ブロック図とである。表示部３０は、カラー液晶ディスプレイ３１と、ディスプレイ３１の前面に配置（貼付）されたシート状の偏光光学部材３２と、を備えている。ディスプレイ３１には、１ピクセルで様々な色が表示できるように、赤色、青色及び緑色（光の三原色）のサブピクセルが１ピクセル内に並べられている。偏光光学部材３２は、少なくともディスプレイ３１の表示領域をカバーする大きさを持っている。
【００１３】
ディスプレイ３１と受信部１１とファンクションキー１２とは、テレビ１００の制御手段である制御ユニット４０に接続されている。また、制御ユニット４０には、再生デバイス２００が接続されている。また、制御ユニット４０には、様々な視標のデータを記憶する記憶手段であるメモリ４１が接続されており、また、リモコン６０からの指令信号を解読するデコーダ回路等を備えている。メモリ４１には、後述するテストイメージ７０の表示を行うためのプログラム４１ａが記憶されている。プログラム４１ａは実行手段である制御ユニット４０に実行される。制御ユニット４０は、リモコン６０からのチャンネル切換えの指令信号等の入力により、ディスプレイ３１の各ピクセルの表示を制御する。本実施形態の制御ユニット４０は、動画の表示制御を行う構成を備えている。
【００１４】
偏光光学部材３２について説明する。ディスプレイ３１からは、所定の方向（垂直方向，水平方向又は斜め４５度方向）の偏光軸を持つ直線偏光の光が出射される。本実施形態では、垂直方向の偏光軸を持つ直線偏光の光が出射される。偏光光学部材３２は、ディスプレイ３１が持つ１ピクセルの所定倍の大きさに対応して横方向（水平方向）に延びるライン状で且つ縦方向（鉛直方向）に交互に配置された光学領域３２ａと光学領域３２ｂとを備えている。光学領域３２ａと光学領域３２ｂとは、ディスプレイ３１からの直線偏光の光を通過させるときに、互いに直交する偏光軸を持つ直線偏光の光に変換する。本実施形態では、偏光光学部材３２として、位相差機能を持つ１／２波長板と同等の機能を持つものが使用されている。１／２波長板は、周知のように、入射光の偏光軸が１／２波長板の高速軸（又は低速軸）に対して角度θで入射したときに、その振動方向を２×θ回転させる。すなわち、１／２波長板は、入射光の偏光方向に対して高速軸（又は低速軸）である光学的主軸方向を傾斜させることにより、入射光の偏光軸方向（振動方向）を回転させる機能を持つものであり、入射光の光量をそのまま維持できる特性を持つものである。
【００１５】
立体画像の視聴等では、互いに直交する偏光軸を持つ偏光フィルタ９１Ｌと偏光フィルタ９１Ｒとを備える偏光眼鏡９０を視聴者が装用し、視聴者の左眼の前に偏光フィルタ９１Ｌが配置され、視聴者の右眼の前に偏光フィルタ９１Ｒが配置される。本実施形態の偏光フィルタ９１Ｌは４５度方向に偏光軸を持っており、偏光フィルタ９１Ｒは１３５度方向に偏光軸を持っている。
【００１６】
一方、光学領域３２ａは左眼用の光学領域であり、本実施形態では、その光学的主軸方向は、偏光眼鏡９０が備える左眼用の偏光フィルタ９１Ｌの偏光方向である４５度方向と一致した偏光方向の光にディスプレイ３１からの光を変換するように配置されている。また、光学領域３２ｂは右眼用の光学領域であり、本実施形態では、その光学的主軸方向は、偏光眼鏡９０が備える右眼用の偏光フィルタ９１Ｒの偏光方向である１３５度方向と一致した偏光方向の光にディスプレイ３１からの光を変換するように配置されている。このため、視聴者が左右眼の前に配置された偏光フィルタ９１Ｌ及び９１Ｒを通して表示部３０を見ると、左眼には偏光フィルタ９１Ｌを透過可能な光学領域３２ａからの光のみが視認され、光学領域３２ｂからの光は偏光フィルタ９１Ｌで遮断されることによって視認されない。逆に、右眼には偏光フィルタ９１Ｒを透過可能な光学領域３２ｂからの光のみが視認され、光学領域３２ａからの光は偏光フィルタ９１Ｌで遮断されることによって視認されない。このようにして、視聴者の左右眼に入射する光を分離でき、視聴者の左右眼にそれぞれ異なる視標を呈示できる。すなわち、視差を持つ視標を視聴者の左右眼に呈示できる。
【００１７】
次に、ディスプレイ３１に表示されるテストイメージについて説明する。図３は、本実施形態のテストイメージを模式的に示す斜視図である。図４は、テストイメージを表示したディスプレイ３１の表示画面である。
【００１８】
本実施形態のテストイメージは、視聴者にとって好適に立体画像を視聴（鑑賞）できる視聴距離を確認、調整するための表示物であり、ディスプレイ３１に表示される映像（動画）である。なお、本実施形態では、視聴距離は、視聴者の左右眼とディスプレイ３１（の表示面）の間の距離とする。
【００１９】
ディスプレイ３１に表示されるテストイメージ７０は、視聴者に立体的に認識される動画像であり、注視点となるターゲットＴが、所定の軌跡を描いて、ディスプレイ３１から浮き上って認識されたり、沈み込んで認識される動画像である。
【００２０】
ターゲットＴは、視聴者の注視を促す形状        であり、ここでは、正面から見た場合に円（正円、真円）に見える図形とする。ターゲットＴは、ターゲットＴ全体が視認できるようなサイズであることが好しい。ターゲットＴは、仮想的に示す平面Ｐ上の軌跡Ｌに沿って移動するように認識される。平面Ｐは、ディスプレイ３１の表示面に対して直交する平面である。軌跡Ｌは、ターゲットＴの動き（軌跡）が立体的に認識されたときに、視聴者が認識し易い図形を示す線となる。本実施形態では、軌跡Ｌは円（正円、真円）とする。軌跡Ｌは、視聴者が認識し易い図形である必要があるため、単一の平面上（ここでは、ＺＹ平面上）に位置していることが好ましい。なお、軌跡Ｌは、視聴者が認識しやすい（他のものと誤認しない）形状であればよく、正三角形、正方形、等の多角形（正多角形）の図形であってもよい。なお、軌跡Ｌは、浮き上がって認識される前方軌跡（前方図形）Ｌｆと、沈み込んで認識される後方軌跡（後方図形）Ｌｒと、が連続的に繋がり、関連した一つの図形となっている。前方軌跡Ｌｆ、後方軌跡Ｌｒは共に、同じサイズの半円形状となっている。前方軌跡Ｌｆは、複数の視標が連続的に繋がった形成された仮想的な第１の視標であり、後方規制Ｌｒは、複数の視標が連続的に繋がった形成された仮想的な第２の視標である。
【００２１】
ターゲットＴは、図中の矢印が示すように軌跡Ｌ上を一方向に移動する。ターゲットＴは、最も浮き上って認識される位置Ｐａ、ディスプレイ３１の表示面の位置Ｐｂ、最も沈み込んで認識される位置Ｐｃ、を順番に通って軌跡Ｌ上を周回する。このとき、ターゲットＴの移動速度は、ターゲットＴを確認する視聴者が軌跡Ｌを認識し易い（想像し易い）程度の速度であり、例えば、１〜５秒程度であることが好ましい。従って、ターゲットＴは連続的に移動し、軌跡Ｌの図形を視聴者に認識させる。
【００２２】
次に、ディスプレイ３１上でのターゲットＴの表示について説明する。図３において、軌跡Ｌ上の３つの位置（Ｐａ、Ｐｂ、Ｐｃ）におけるディスプレイ３１の表示画面を説明する。図４（ａ）は、ターゲットＴが位置Ｐａ（の位置）に浮き上って認識される場合の表示画面である。図４（ｂ）は、ターゲットＴが位置Ｐｂに認識される場合の表示画面である。図４（ｃ）は、ターゲットＴが位置Ｐｃに沈みこんで認識される場合の表示画面である。
【００２３】
ターゲットＴは、浮き上って認識される視差、沈み込んで認識される視差を徐々に変更しながらディスプレイ３１に表示されることで、ターゲットＴが、軌跡Ｌ上を連続的に移動しているように認識される。
【００２４】
図４（ａ）に示すように、左眼用ターゲットＴＬと、右眼用ターゲットＴＲと、が幅Ｗａだけ隔てて軌跡Ｌ上に配置されている。ディスプレイ３１において、右眼用ターゲットＴＲが左側に、左眼用ターゲットＴＬが右側に位置している。このため、視聴者の視線は、ディスプレイ３１より手前で交差して、ターゲットＴＲ及びＴＬが認識されることとなる。これにより、ターゲットＴが、幅Ｗａの中間位置に浮き上って（ディスプレイ３１より手前に）認識されれる。このとき、ターゲットＴは、図３における位置Ｐａ（の位置）にあるように視聴者に認識される。
【００２５】
図４（ａ）の状態から、右眼用ターゲットＴＲと左眼用ターゲットＴＬは、幅を縮めながら、全体としてディスプレイ３１の右側に移動していく。ターゲットＴＬ及びＴＲ間の幅が幅Ｗａに比べて縮まっていくことにより、ターゲットＴはディスプレイ３１の表示面に近づいていく（浮き上がり量が減る）ように見える。
【００２６】
図４（ｂ）に示すように、ターゲットＴは、視聴者の左右眼に共に見えるようひディスプレイ３１に表示されている。ターゲットＴは、左右眼に認識されるため、立体的に認識されることはなく、ディスプレイ３１の表示面上に位置して見える。ターゲットＴは、軌跡Ｌの最右端に表示されている。このとき、ターゲットＴは、図３における位置Ｐｂにあるように認識される。
【００２７】
図４（ｂ）の状態から、ターゲットＴは、ターゲットＴは左眼用ターゲットＴＬと左眼用ターゲットＴＲとがそれぞれ表示され、ターゲット間の間隔が広がりつつ、全体として左側に移動していく。
【００２８】
図４（ｃ）に示すように、左眼用ターゲットＴＬと、右眼用ターゲットＴＲと、が幅Ｗｃだけ隔てて軌跡Ｌ上に配置されている。ディスプレイ３１において、左眼用ターゲットＴＬが左側に、右眼用ターゲットＴＲが右側に位置している。このため、視聴者の視線は、ディスプレイ３１より後方で交差し、ターゲットＴＲ及びＴＬが認識されることとなる。これにより、ターゲットＴが、幅Ｗｃの中間位置に沈み込んで（ディスプレイ３１より後方に）認識されれる。このとき、ターゲットＴは、図３における位置Ｐｃにあるように視聴者に認識される。
【００２９】
このようにして、ディスプレイ３１に表示される表示画面上で、左眼用ターゲットＴＬ、右眼用ターゲットＴＲの表示が制御されることにより、視聴者には、図３に示すような軌跡Ｌ上をターゲットＴが連続的に移動しているように認識できる。
【００３０】
次に、ターゲットＴの浮き上がり量及び沈み込み量について説明する。視聴者には、ターゲットＴを視認する（見続ける）ことにより、軌跡Ｌを認識できる。従って、第１の視標である前方軌跡Ｌｆと第２の視標である後方軌跡Ｌｒとが連携することによって、一体の図形が認識される。
【００３１】
このとき、軌跡Ｌの形状は、視聴者によって異なって認識される。これは、ターゲットＴの浮きで量、沈み込み量が、視聴者の両眼視の特性及び視聴距離Ｄによって異なるためである。どの視聴者も同じ視聴距離Ｄからテストイメージ７０を見た場合でも、例えば、視聴者の瞳孔間距離の差によってターゲットＴの浮き上がり量、沈み込み量が異なる。言い換えると、視聴者によって、軌跡Ｌの形状が異なって認識される。例えば、視聴者によっては、軌跡Ｌが、真円に見える、奥行奉公に潰れた楕円に見える（楕円の短軸がＺ方向に見える）、奥行方向に伸びた楕円に見える（楕円の長軸がＺ方向に見える）、等、テストイメージ７０の見え方が異なる。
【００３２】
本実施形態では、視聴者がテストイメージ７０を見ながら、立体的に認識されるターゲットＴの形状（軌跡Ｌの形状）が正円に見えるように視聴距離Ｄを調整することによって、この視聴者にとって適正な視聴距離Ｄを確認できる。
【００３３】
なお、ディスプレイ３１に表示される立体画像、立体映像、等の立体コンテンツは、立体コンテンツの製作者等によって、視差が定められている。立体コンテンツの視差（テストイメージ７０における浮き上がり量及び／又は沈み込み量の上限に対応する視差）は、立体コンテンツの安全基準（例えば、国際ガイドラインＩＳＯ  ＩＷＡ３）に収まるように定められており、本実施形態のテストイメージ７０の視差も同様に定められている。具体的には、浮き上がり量の上限に対応する幅Ｗａ、沈み込み量の上限に対応する幅Ｗｃ、を上記の安全基準内に収まるように定められる。
【００３４】
以上のような構成を有するテレビ１００での適正な視聴距離の確認における動作について説明する。
【００３５】
視聴者は、偏光眼鏡９０を装用し、リモコン６０のキー６１ａを押す。テストイメージ７０を表示するための選択信号は、送信部６３、受信部１１を介して制御ユニット４０に入力される。制御ユニット４０は、選択（指令）信号に基づいてメモリ４１からテストイメージ７０のデータを読み出し、表示部３０に表示させる。制御ユニット４０は、左眼用ターゲットＴＬ及び右眼用ターゲットＴＲの表示を制御し、テストイメージ７０を動画として表示部３０に表示させる。
【００３６】
視聴者は、テストイメージ７０を視認する。このとき、偏光光学部材３２と偏光眼鏡９０によって、左眼用ターゲットＴＬは視聴者の左眼にのみ見え、右眼用ターゲットＴＲは視聴者の右眼にのみ見える。これにより、視聴者は、一つのターゲットＴが浮き上がったり、沈み込んだりしながら、軌跡Ｌ上を連続的に移動しているように認識する。視聴者は、軌跡Ｌが、真円に見える位置まで移動する（又は、テレビ１００を移動させる）。これにより、テレビ１００での立体画像等の視聴において、適正な視聴距離を確認する。
【００３７】
視聴者は、リモコン６０のキー６１を操作し、表示部３０に立体画像、立体瑛損を含むテレビ番組等を表示させ、番組の視聴を行う。また、再生デバイス２００を操作し、表示部３０に立体画像、立体映像等を表示させ視聴する。
【００３８】
このようにして、簡単な構成で、視聴者に適正な視聴距離を確認、調整することができる。これにより、立体コンテンツの製作者が意図した立体物を視聴者が緩衝できる。例えば、立体コンテンツの製作者が、球体物を立体画像で表示する場合、視聴者は、立体画像に表示される物体が球体として認識できる。また、以上のテストイメージによる適正な視聴距離の確認、調整は、個人単位で行うことができる。従って、同一の立体コンテンツを鑑賞する際に、個人にとって適正な視聴距離を確認、調整でき、立体コンテンツを好適に鑑賞できる。
【００３９】
なお、以上の説明では、テストイメージ７０は、動画としたが、これに限るものではない。平面上の軌跡が、視聴者に立体的な図形として認識される構成であればよく、静止画であってもよい。例えば、図５に示すテストイメージ８０のような静止画であってもよい。図５は、テストイメージ８０を模式的に示した斜視図である。テストイメージ８０は、立体的に認識されるワイヤーフレームを含む画像である。テストイメージ８０では、複数のワイヤーによって、球体が表されている。何れのワイヤーも円の形状であり、水平面上で、球体の赤道に対応するワイヤー８１、水平面に直交しＺＹ平面上に位置する経線に対応するワイヤー８２、水平面に直交する平面上に位置する経線に対応するワイヤー８３、８４、ワイヤー８１の径より小さくワイヤー８１の位置からＹ方向に沿って変位した水平面上に位置する緯線に対応するワイヤー８５〜８８、等がある。
【００４０】
ワイヤー８１〜８８は、所定量浮き上がって認識される複数の第１の視標と、所定量沈み込んで認識される第２の視標と、が関連して形成された図形である。ワイヤー８１〜８８は、半透明で表示される。これにより、視聴者が、静止画で立体的な図形を認識できる。例えば、ワイヤー８１は、水平面上に位置する正円（上記の軌跡Ｌ）として認識される。
【００４１】
なお、以上の説明では、軌跡Ｌ、ワイヤー８１等によって示される図形を、表示面と直交する水平面としたが、これに限るものではない。視聴者が、図形を認識できる構成であればよく、平面は、表示面に対して９０度から鋭角、鈍角のいずれの方向に傾いた構成となっていてもよい。
【００４２】
なお、以上の説明では、軌跡Ｌ等の図形を正円、正多角形としてが、これに限るものではない。視聴者がテストイメージを立体的に認識したときに、図形の形状を認識しやすい図形であればよい。正多角形に基づいた幾何学的図形であってもよい。例えば、正五角形の頂点を直線で結んで形成される星形、等であってもよい。
【００４３】
なお、以上の説明では、適正な視聴距離を確認するためにテストイメージを表示する構成としたが、これに限るものではない。例えば、ディスプレイ式の視標呈示装置に、テストイメージ７０、８０のような両眼視機能検査用の視標を表示させる構成としてもよい。視標呈示装置としては、特開２００９−２０７５６９号公報を参照されたい。視標呈示装置を用いて、被検者（対象者）にテストイメージ７０を呈示する。被検者は、テストイメージ７０を見ながら、視標呈示装置に対して前後に移動し、軌跡Ｌが正円に見える位置まで移動する。このときの被検者と視標呈示装置との距離を計測することにより、被検者の深視力の評価ができる。一例としては、距離間隔に基づく立体視機能が評価できる。
【００４４】
なお、以上の説明では、視聴者の左右眼に呈示される視標を分離するために、所定の偏光軸を持つ偏光光学部材、偏光フィルタ、等を用いるものとしているが、円偏光を利用してもよい。また、以上の説明では、視聴者の左右眼に示したテストイメージを分離するために、ディスプレイの前面に配置された偏光光学部材と、視聴者眼の前に配置される偏光眼鏡を用いるものとしているが、これに限るものではない。テストイメージの分離ができる構成であればよい。色を用いて視標を分離する構成、液晶シャッタを用いて視標を分離する構成、ディスプレイの前面に視差を持たせるレンズを取り付けて分離する構成、等であってもよい。
【００４５】
なお、以上の説明では、装置１００に備えられたメモリ４１に記憶されたプログラム４１ａによって、ディスプレイ３１にテストイメージを表示する構成としたが、これに限るものではなない。ディスプレイ３１にテストイメージを表示する構成であればよく、再生デバイス２００にプログラムを内蔵する構成としてもよい。また、再生デバイスにより読み取らせるＤＶＤ等の記録媒体にプログラムを記憶させる構成としてもよい。このような場合、再生デバイスが備える制御手段が、プログラムの実行手段となる。再生デバイス２００が接続された表示装置は一体の立体画像表示装置として機能することとなる。また、テレビ１００が受信する立体コンテンツのテレビ番組を介してプログラムを受取り、メモリ４１に記憶する構成としてもよい。
【００４６】
なお、以上の説明では、ディスプレイにテストイメージを表示させる構成としたが、これに限るものではない。表示面に立体画像を表示する構成であればよく、スクリーン（表示面）に投影装置を用いて立体画像等を表示させる構成としてもよい。
【図面の簡単な説明】
【００４７】
【図１】本実施形態の立体画像表示装置の概略外観図である。
【図２】表示部の概略構成図と装置の制御系の概略ブロック図とである。
【図３】テストイメージを説明する模式的な斜視図である。
【図４】ディスプレイの表示画面を説明する図である。
【図５】テストイメージの変容例を説明する図である。
【符号の説明】
【００４８】
３０  表示部
３１  ディスプレイ
３２  偏光光学部材
４０  制御ユニット
４１  メモリ
６０  リモコン
７０、８０  テストイメージ
１００  立体画像表示装置（テレビ）
２００  再生デバイス
【図１】
2013031139.tif 000003
【図２】
2013031139.tif 000004
【図３】
2013031139.tif 000005
【図４】
2013031139.tif 000006
【図５】
2013031139.tif 000007